(57)【要約】【課題】録画済番組表示上に、推薦番組情報に基づく推薦表示を表示させる。【解決手段】  実施形態によれば、デジタル放送記録再生装置は、デジタル放送を受信する受信部と、前記受信部によって受信された番組を記録すると共に再生する記録再生部と、前記受信部によって受信された番組メタ情報を前記記録再生部が記録する番組について記録管理する番組メタ情報記録管理部と、推薦番組情報を提供する情報提供システムにアクセスして前記推薦番組情報を受信する情報受信部と、前記番組メタ情報記録管理部に記録された録画済番組の情報を表示する場合、または前記記録再生部による録画済の番組を再生する場合、の少なくともいずれかにおいて、前記推薦番組情報に基づく推薦表示を同時に表示させる録画済番組表示生成部と、を具備したことを特徴とする。【選択図】図１
2012029247.tif 000002
【特許請求の範囲】
【請求項１】
デジタル放送を受信する受信部と、
前記受信部によって受信された番組を記録すると共に再生する記録再生部と、
前記受信部によって受信された番組メタ情報を前記記録再生部が記録する番組について記録管理する番組メタ情報記録管理部と、
推薦番組情報を提供する情報提供システムにアクセスして前記推薦番組情報を受信する情報受信部と、
前記番組メタ情報記録管理部に記録された録画済番組の情報を表示する場合、または前記記録再生部による録画済の番組を再生する場合、の少なくともいずれかにおいて、前記推薦番組情報に基づく推薦表示を同時に表示させる録画済番組表示生成部と、
を具備したことを特徴とするデジタル放送記録再生装置。
【請求項２】
前記番組メタ情報記録管理部は、前記記録再生部による番組の録画時に前記推薦番組情報を録画する番組の情報と対応させて記録する
ことを特徴とする請求項１に記載のデジタル放送記録再生装置。
【請求項３】
前記情報受信部は、所定の時刻もしくは推薦番組情報を表示する操作を行うときの少なくともいずれかの場合に前記情報提供システムが生成した前記推薦番組情報を受信する
ことを特徴とする請求項１又は２に記載のデジタル放送記録再生装置。
【請求項４】
前記情報提供システムにアクセスして、前記記録部における録画予約、録画実行及び録画番組の再生のうちの少なくとも１つの動作を操作履歴情報として前記情報提供システムに送信する情報送信部
を具備したことを特徴とする請求項１乃至３に記載のデジタル放送記録再生装置。
【請求項５】
前記録画済番組表示生成部は、前記録画済番組表示を番組表形式で表示する
ことを特徴とする請求項１乃至４に記載のデジタル放送記録再生装置。
【請求項６】
前記録画済番組表示生成部は、前記録画済番組表示をリスト形式で表示する
ことを特徴とする請求項１乃至４に記載のデジタル放送記録再生装置。
【請求項７】
前記録画済番組表示生成部は、前記録画済番組表示と現在以降の番組を表示する番組表とを同時に表示する
ことを特徴とする請求項１乃至６に記載のデジタル放送記録再生装置。
【発明の詳細な説明】
【技術分野】
【０００１】
本発明の実施形態は、録画済番組表示を表示するデジタル放送記録再生装置に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、受信機のリモコンのボタンを押すだけで、当日あるいは１週間先までの番組表が表示され、放送時間や出演者など、番組内容の表示や知りたい情報の検索、番組の視聴予約や録画予約を行うことができる。
【０００３】
チャンネル数の増加に伴い、視聴者が視聴したい番組の放送時間が増大し、また放送時間が重複したりすることが起きるため、番組を録画して視聴者の都合に合わせて番組を視聴する機会が増えてきた。
【０００４】
このような背景から、大容量の記録媒体を内蔵して、ユーザの嗜好に沿った番組を自動的に記録するビデオレコーダーも普及している。このようなビデオレコーダーにおいては、録画済みの番組情報をリスト表示することで、再生時のユーザの再生番組選択操作を簡単にしたものが一般的である。
【０００５】
また、テレビジョン受信装置においても、録画予約された放送番組を録画する番組記録部と、番組記録部が録画する番組の放送チャンネルおよび放送時間を録画番組情報として記録する録画番組情報記録部と、録画番組情報に基づき、録画済の番組情報を、放送チャンネル・放送時間を横軸・縦軸とする一覧表形式で表示する録画済番組表の表示処理を実行する表示制御部と、を備えた装置が提案されている。
【０００６】
ところで、近年、ユーザの録画予約操作に関する操作履歴情報をネットワーク上のデータベースに送信し、データベース上で操作履歴情報を集計することで、ユーザの嗜好の統計情報を取得するシステムが利用されている。データベースが作成した嗜好の統計情報である推薦番組情報をテレビジョン受像機等において受信することにより、ＥＰＧを用いた番組表表示において、お勧め番組（推薦番組）を示すマークを表示することができる。
【０００７】
このような推薦番組情報は、データベースによって随時更新され、データベースは現時点の予約状況に基づく最新の推薦番組情報をユーザに提供するようになっている。テレビジョン受像機は、最新の推薦番組情報を例えば１日１回受信することで、番組表表示上に最新の推薦番組情報に基づくマークを表示することができる。
【０００８】
しかしながら、データベースから供給される推薦番組情報は、現時点までの予約操作に基づいて、将来放送される番組についてのユーザの嗜好の集計結果であり、過去の録画済み番組についての統計情報ではない。従って、録画済番組表示上に推薦番組情報に基づくマークを表示することはできないという問題点があった。
【先行技術文献】
【特許文献】
【０００９】
【特許文献１】特開２００６−３２４８２５号公報
【発明の概要】
【発明が解決しようとする課題】
【００１０】
本発明は、録画済番組表示上に、推薦番組情報に基づく推薦表示を表示させることができるデジタル放送記録再生装置を提供することを目的とする。
【課題を解決するための手段】
【００１１】
本発明の実施形態に係るデジタル放送記録再生装置は、デジタル放送を受信する受信部と、前記受信部によって受信された番組を記録すると共に再生する記録再生部と、前記受信部によって受信された番組メタ情報を前記記録再生部が記録する番組について記録管理する番組メタ情報記録管理部と、推薦番組情報を提供する情報提供システムにアクセスして前記推薦番組情報を受信する情報受信部と、前記番組メタ情報記録管理部に記録された録画済番組の情報を表示する場合、または前記記録再生部による録画済の番組を再生する場合、の少なくともいずれかにおいて、前記推薦番組情報に基づく推薦表示を同時に表示させる録画済番組表示生成部と、を具備したことを特徴とする。
【図面の簡単な説明】
【００１２】
【図１】本発明の第１の実施形態に係るデジタル放送記録再生装置が組み込まれたテレビジョン受信装置を示すブロック図。
【図２】ＥＰＧデータに基づいて表示装置８の表示画面上に表示された番組表の一例を示す説明図。
【図３】推薦表示を含む録画済番組表の一例を示す説明図。
【図４】第１の実施形態の動作を説明するためのフローチャート。
【図５】本発明の第２の実施形態において採用される動作フローを示すフローチャート。
【図６】本発明の第３の実施形態において採用される動作フローを示すフローチャート。
【図７】本発明の第４の実施形態において採用される録画済番組表の一例を示す説明図。
【図８】本発明の第５の実施形態において採用される録画済番組表示の一例を示す説明図。
【図９】本発明の第６の実施形態において採用される録画済番組表示の一例を示す説明図。
【発明を実施するための形態】
【００１３】
以下、図面を参照して本発明の実施形態について詳細に説明する。
【００１４】
（第１の実施形態）
図１は本発明の第１の実施形態に係るデジタル放送記録再生装置が組み込まれたテレビジョン受信装置を示すブロック図である。
【００１５】
アンテナ２は、放送局２５から送信された放送電波を受信するための地上デジタル放送用及び衛星デジタル放送用のアンテナである。チューナ３ａ〜３ｆ（以下、代表してチューナ３という）は、制御部１１により制御されて、地上デジタル放送及び衛星デジタル放送の放送信号の中から所望のチャンネルの放送信号を選局し、選局した信号を各々のデジタル放送の変調方式に対応して復調する。地上デジタル放送信号はＯＦＤＭ（Orthogonal Frequency Division Multiplexing）復調処理により、衛星デジタル放送の信号はＰＳＫ（Phase Shift Keying）復調処理によって、デジタルの映像信号及び音声信号に復調され、トランスポートストリーム（ＴＳ）形式の復調信号が信号処理部４に出力される。
【００１６】
信号処理部４は、入力されるＴＳのＤＥＭＵＸ処理部、ＭＰＥＧ（Moving Picture Experts Group）デコーダ、映像音声デコーダ等のデコード機能を有し、チューナ３から供給されたデジタルの映像信号及び音声信号に所定のデジタル信号処理を施して、映像処理部５および音声処理部６に出力する。
【００１７】
また、信号処理部４として外部入力信号をＭＰＥＧ形式でエンコードするエンコード機能を備える場合もある。
【００１８】
映像処理部５は、信号処理部４からのデジタルの映像データと、バス１０を介して転送されるデータ放送やＧＵＩ（Graphical User Interface)に基づくウィンドウ描画とを管理して、映像データに基づく画像上にデータ放送やＧＵＩに基づく画像等を重ね合わせ、重ね合わせた画像を表示処理部７に送る。
【００１９】
例えば、映像処理部５には、番組を取得するための各種データや電子番組ガイド（ＥＰＧ）情報，番組属性情報（番組ジャンル等），字幕情報等（サービス情報、ＳＩやＰＳＩ）が与えられ、映像処理部５は、これら入力された情報に基づいてＥＰＧ，字幕を表示するため画像生成処理を行うことができる。
【００２０】
また、映像処理部５には、スーパーインポーズ表示するための画像情報（ＯＳＤ信号）も供給される。映像処理部５は、映像データに基づく画像に、ＯＳＤ信号に基づく画像、データ放送に基づく画像、更に、ＥＰＧ，字幕等を合成して、合成画像を表示処理部７に出力する。
【００２１】
表示処理部７は、映像処理部５からのデジタル映像信号を表示装置８で表示可能なフォーマット（画素数、フレーム周波数、走査方式）に変換したり、表示色を任意に調整したりして、表示装置８に出力する。これにより、表示装置８の表示画面上において、映像を表示させることができる。
【００２２】
また、音声処理部６は、信号処理部４からのデジタルの音声データを、スピーカ９で再生可能なアナログ音声信号に変換した後、スピーカ９に出力して音声を再生させる。
【００２３】
デジタル放送受信装置１は、上記した受信動作を含むその全ての動作を制御部１１によって統括的に制御されている。制御部１１はＭＰＵ（Micro Processing Unit）１２が搭載されており、バス１０を介して接続された各構成要素を制御する。
【００２４】
ＲＡＭ（Random Access Memory）１３は、制御部１１のデータ処理に必要な各種データを格納するリード／ライトメモリであり、映像データ等を格納するバッファメモリとして動作する。ＲＯＭ（Read Only Memory）１４は読出し専用メモリであり、制御部１１が実行する制御のプログラムなどを格納している。
【００２５】
フラッシュメモリ１５は、書き換え可能であり、電源を切ってもデータが消えない不揮発性の半導体メモリである。フラッシュメモリ１５は、視聴者による各種映像設定や音声設定、録画や視聴予約等のデータを記憶する機能を有する。録画の際の指定チャンネルや指定時間等のデータについては一旦ＲＡＭ１３に記憶された後フラッシュメモリ１５に記憶される。
【００２６】
デジタル放送受信装置１は、録画装置１６を備えている。録画装置１６は、ＨＤＤ（Hard Disk Drive）あるいはＳＳＤ（Solid State Drive）等を含む記録装置である。録画装置１６は、データバス１０に接続しているが、録画装置１６には情報を記録再生するためのインターフェースが搭載されており、該インターフェースを介してＨＤＤあるいはＳＳＤに放送番組等を録画し、また再生する。録画装置１６は、録画指定された複数のチャンネルの番組を録画指定された時間に亘って同時に録画することができる。
【００２７】
また、録画した番組を管理する情報として後述するＥＩＴの情報を信号処理部４から取得し、番組タイトルや開始時間、終了時間や番組内容等の詳細情報、さらに上記録画の指定条件やユーザから指定情報（番組の自動消去禁止等）の入力項目などの録画番組に関するメタデータを録画番組管理情報として記録する録画番組情報管理部２４を有する。
【００２８】
外部インターフェース１７は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）等のインターフェースであり、ＵＳＢメモリやＵＳＢ外部機器、ＨＤＤ、ＳＳＤ、ＣＤ−Ｒ／ＲＷ、ＤＶＤライター等のドライブ類を含む外部記録装置１８が接続される。外部インターフェース１７を介して外部記録装置１８に番組を録画することができる。番組を録画装置１６または外部記録装置１８のどちらの録画機器に録画するかは視聴者が選択できる。
【００２９】
デジタル放送には、通常コピー制御が施されており、１回だけ録画可能な番組については、コピーはできないが、移動（ムーブ）は可能である。移動（ムーブ）とはＨＤＤまたはＳＳＤに録画した番組の保存場所を変える（移動する）ことである。移動後はＨＤＤまたはＳＳＤに録画されていた番組は自動的に消去される。ダビング１０と呼ばれるようなＨＤＤまたはＳＳＤに録画した番組について９回コピーが可能で１０回目が移動（ムーブ）となる番組については、他のＨＤＤまたはＳＳＤ（同一のＨＤＤまたはＳＳＤの別パーティションを含む）にコピーしたり、ＤＶＤ等の光ディスクにコピーすることができる。
【００３０】
操作機器２０は、例えば、赤外線あるいはBluetooth（登録商標）等による無線通信を利用したリモコン（リモートコントローラ、remote controller）、有線式あるいは無線式キーボード、マウス等によって構成されており、ユーザ操作に基づく操作信号を発生して送信する。操作受信部１９は、操作機器２０から送信される操作信号を受信し、制御部１１に転送する。
【００３１】
デジタル放送受信装置１は、送受信部２１を介してインターネット２６に接続されている。これにより、デジタル放送受信装置１は、インターネット２６のネットワーク上にあるサーバ等の機器と送受信部２１を介して情報伝送を行なうことができる。
【００３２】
視聴者は画面８ａ上のＥＰＧデータによる番組表を見ながら操作機器２０を操作して、番組を選択して録画または録画予約することができる。ＥＰＧは多チャンネル化が進む中で視聴者が容易に番組を選択することを目的に提供されている。新聞などにおけるテレビ番組欄の表示様態を真似てデジタル放送受信装置１の表示装置８の画面８ａ上に表示している。視聴者は、画面８ａの番組表を見ながらリモコンを使って番組選択や詳細情報の表示、録画予約に利用する。
【００３３】
ＥＰＧデータによる番組表の表示様態は放送受信機メーカや放送受信機の機種によって異なっているが、デジタル放送受信装置１においては、上述した新聞などにおけるテレビ番組欄のように横方向にチャンネル軸、縦方向に時間軸として表示し現在時刻以降に放送される番組が並ぶように表示されている。番組を選択するとその番組の番組名、放送日時以外に、番組のジャンル、出演者や番組内容等の詳細情報が表示される。
【００３４】
ＥＰＧデータは映像・音声などと同様にパケット化され、多重されて送信されている。番組情報のデータは、ＳＩ(Service Information、番組配列情報)のＥＩＴ(Event Information Table)に含まれており、信号処理部４からの出力された情報を制御部１１が解析して番組表を生成する。生成された番組表は、映像処理部５、表示処理部７と制御部１１によって構成された表示制御部２３によって表示装置８の画面８ａに表示される。
【００３５】
図２はＥＰＧデータに基づいて表示装置８の表示画面上に表示された番組表の一例を示す説明図である。番組表２７において複数のチャンネルと時間帯を指定して録画指定することができる。図２は現在時刻が１２月９日（月）の午後８時３０分であり、１２月１２（木）の午前１０時から午後３時までの６時間に亘る時間帯の番組表を示している。図２の破線部は背景色が他の部分とは異なることを示しており、この破線部に示す午前１０時から午後１時までの３時間に亘る時間帯について、１、２、４、５、６、７、８チャンネルの番組を同時連続録画指定したことを示している。このように録画指定された時間とチャンネルとは背景色が変化することで、視聴者が録画した時間帯とチャンネルを確認し易くなっている。同様にして、日時、時間帯、チャンネルを変えて他の予約指定をすることができる。
【００３６】
本実施形態においては、制御部１１は、録画装置１６及び外部記録装置１８による録画及び再生を制御すると共に、これらの装置１６，１８に対する予約録画を制御することが可能である。制御部１１は、操作機器２０のユーザ操作によって、録画チャンネル、録画時間及び録画先等が指定されると、この指定に基づく録画予約情報を作成してフラッシュメモリ１５等に記録させる。制御部１１は、図示しないタイマによって時刻情報が供給されており、録画予約情報に記述された録画開始時間になると、録画チャネルの圧縮映像信号を録画先として指定された装置に供給して録画させる。
【００３７】
本実施形態においては、デジタル放送受信装置１は、多数のチューナ３を搭載しており、録画指定された１つ又は複数のチャンネルを、録画指定された一連の時間帯に亘って同時に録画すること（以下、複数の番組の同時連続録画という）が可能である。
【００３８】
録画を行う時間については毎日１０：００から１２：００、１９：００から２２：００等時間を区切って設定することや２４時間連続等の設定が可能であり、この時間情報はたとえば録画番組情報管理部２４に記憶される。
【００３９】
この録画番組情報管理部２４は録画装置１６内や外部記録装置１８内に構成される場合もある。
【００４０】
制御部１１は、録画済番組表示を表示するための録画済番組表示生成部２２を有する。既に録画済みの番組に関する表示である録画済番組表示を表示する方法としては、リスト表示が一般的である。しかし、同時連続録画された番組については、番組表形式の表示も有効である。録画済番組表示生成部２２は、このような番組表形式を採用した録画済番組表示である録画済番組表を作成して表示することができる。録画済番組表示生成部２２は、ユーザにより録画指定された複数のチャンネルと録画指定された時間における録画済番組表を生成する。
【００４１】
また、本実施形態においては、制御部１１は、録画予約、録画予約の実行及び録画番組の再生等の操作履歴情報を、ユーザ地域情報や記録装置ＩＤ等の情報と共に送受信部２１及びインターネット２６を介して、情報提供システム４０に供給することができるようになっている。
【００４２】
例えば、制御部１１は、操作履歴情報として、チャンネル、開始時間及び終了時間の情報と、予約、録画実行又は再生のいずれであるかを示す操作種別の情報とを送信する。また、この場合には、制御部１１は情報提供システム４０から、処理ステータスデータ及びデータ更新の有無の情報を受信する。なお、制御部１１は再生が一定時間（例えば５分間）継続した場合にのみ、再生の操作履歴情報を出力するようにしてもよい。また、録画番組を他の記録装置にムーブする場合等においても、このムーブ操作に基づく操作履歴情報を送信するようにしてもよい。
【００４３】
情報提供システム４０は、制御部４１、送受信部４２及び情報生成部４３によって構成されている。送受信部４２は、制御部４１に制御されて、インターネット２６を介して操作履歴情報を受信する。情報生成部４３は、受信された操作履歴情報を集計し、集計結果に基づいて推薦番組の情報である推薦番組情報を生成するようになっている。
【００４４】
情報生成部４３において生成される推薦番組情報は、例えば、番組の予約数に基づくランキングデータ、個々のユーザの予約履歴に基づく自己推薦データ、当該ユーザと同様の嗜好のユーザが予約している番組を推薦する他者推薦データ等を含む。更に、情報生成部４３は、再生操作の情報を用いて、視聴ランキングデータを生成することもでき、推薦番組情報にはこの視聴ランキングの情報も含まれる。
【００４５】
例えば、情報生成部４３は、番組名を正規化処理する。記録再生装置においては、例えば８日先の番組まで予約可能であり、平日の同じ時間帯に放送されるバラエティ、ドラマ等の番組、１週間おきに放送される連続ドラマ等の番組については、放送日時が異なるが同じ番組であることがある。そこで、情報生成部４３は、正規化処理した番組名でグルーピングすることにより、その番組に対する人気を正確に推測し、放送日時に拘わらず番組単位に予約数をカウントすることができる。
【００４６】
情報生成部４３は、既に放送が終了した番組、重複している番組等についての予約数を減じながら、インターネット２６を介して受信される操作履歴情報を集計することで、随時最新の推薦番組情報を生成する。即ち、推薦番組情報は、現在時刻以降に放送される番組について、ユーザの予約数に基づく人気番組のランキングを示すものである。
【００４７】
更に、本実施形態においては、情報生成部４３は、過去の操作履歴情報の集計結果である、過去推薦番組情報についても出力可能である。情報生成部４３は、例えば１日毎に操作履歴情報を集計して、ランキング結果である推薦番組情報を生成する。そして、制御部４１は、ユーザからの送信要求に従って、送信時点において放送されていない番組についての推薦番組情報を送信する。即ち、操作履歴情報の集計によって求めたランキング結果から既に放送が終わった番組分を除去したランキングの情報を推薦番組情報として送信する。従って、時間の経過と共に、情報提供システム４０から送信される推薦番組情報は変化する。
【００４８】
そこで、本実施形態においては、所定時刻以降は更新されない過去推薦番組情報を採用してもよい。例えば、過去推薦番組情報としては、所定時刻の時点の推薦番組情報である前日推薦番組情報を用いることができる。
【００４９】
なお、情報生成部４３は、録画予約の予約数に基づいて過去推薦番組情報を生成するだけでなく、予約録画の実行数及び予約録画された番組の再生数等に基づいて過去推薦番組情報を生成する。
【００５０】
情報提供システム４０に操作履歴情報を送出する機器は、例えば１日に１回、機器設定情報を通知する。例えば、制御部１１は、情報提供システム４０に機器固有設定情報として、サービスのオン，オフ、受信可能チャンネル及びエリアの情報等を送出する。そして、制御部１１は機器設定情報の送信時に、次回通信の日時及びデータ更新の有無についての情報を受信する。
【００５１】
制御部１１は、推薦番組情報を適宜の時間に受信することができる。制御部１１は、推薦番組情報の受信時に、送信データとしてジャンル機器固有設定情報を送信する。また、制御部１１は、推薦番組情報として、例えば、各番組毎に、チャンネル開始時間、終了時間及びランキングのスコアと、データ更新の有無についての情報を受信する。
【００５２】
制御部１１は、情報提供システム４０からインターネット２６及び送受信部２１を介して推薦番組情報を受信することで、番組表表示上に推薦番組情報に基づく表示等を付加させて表示させることが可能である。
【００５３】
更に、本実施形態においては、制御部１１は、予約録画に際して、予約録画開始時までに情報提供システム４０から推薦番組情報又は過去推薦番組情報を受信し、受信した推薦番組情報又は過去推薦番組情報から録画番組についての情報を抽出して録画番組の録画番組管理情報として録画番組に対応させて記録するようになっている。なお、制御部１１は、推薦番組情報又は過去推薦番組情報から抽出した情報そのものを記録させてもよく、或いは、推薦番組情報又は過去推薦番組情報に基づくランキング情報、ランキングがいずれの段階に属するかを示す情報等を記録させてもよい。
【００５４】
本実施形態においては、制御部１１は、既に録画された録画済番組を番組表の形式で表示する録画済番組表の表示に際して、推薦番組情報又は過去推薦番組情報に基づく推薦表示を表示させることが可能である。
【００５５】
図３はこのような推薦表示を含む録画済番組表の一例を示す説明図である。録画済番組表３０は表示装置８の画面８ａ上にほぼ画面８ａ一杯に表示される場合と画面８ａの中の範囲を指定して録画済番組表の一部が表示される場合があるが、図３においては、ほぼ画面８ａ一杯に表示された場合を示している。録画済番組表３０は録画済番組表示生成部２２によって生成され、表示制御部２３によって画面８ａに表示される。
【００５６】
録画済番組表３０の基本的な表示様態はＥＰＧデータによる番組表の表示形態と同様に、画面８ａの横方向にチャンネルを示すチャンネル軸３１、縦方向に時間を示す時間軸３２が配置されている。通常のＥＰＧの番組表については、デジタル放送受信装置１が受信可能なチャンネル全体および現在時刻以降の現在及び未来の連続した時間を対象としているが、これに対して録画済番組表３０は、録画指定された複数のチャンネルと録画指定された時間帯における録画番組を対象として表示される。
【００５７】
録画済番組表３０には、録画指定されたチャンネルと録画指定された時間帯だけが表示されている。録画指定された時間帯は一つまたは複数の時間帯でもよい。受信可能なチャンネル数が数十チャンネルに及ぶと録画済番組表に録画指定してないチャンネルを表示すると視聴者は視聴したい番組を検索するのに時間を要してしまう。また現在時刻以前の番組表全体を表示すると数日あるいはそれ以上経過すると表示サイズが大きくなり検索が面倒である。従って録画指定されたチャンネルと録画指定された時間帯だけを番組表の様式で表示することは視聴者にとってたいへん便利である。
【００５８】
図３において、チャンネル軸３１には録画指定したチャンネルが表示されている。８チャンネル分のチャンネル表示部３３ａ〜３３ｈが表示されている。リモコンのカーソルボタンを操作することにより、画面８ａに表示されていない他のチャンネルを右スクロールまたは左スクロールすることにより閲覧することができる。録画済番組表３０の上端には現在時刻表示３７が表示されている。
【００５９】
時間軸３２には、録画指定した時間が表示されている。６時間分の時間表示部３４ａ〜３４ｆが表示されている。時間表示部３４ａは１２月１２日の午前１０時から午前１１時までの１時間の時間帯、時間表示部３４ｂは１２月１２日の午前１１時から午後０時までの１時間の時間帯、時間表示部３４ｃは１２月１２日の午後０時から午後１時までの１時間の時間帯を表し、時間表示部３４ａ〜３４ｃは３時間連続した時間帯を示している。時間表示部３４ｄは１２月１３日の午後１時から午後２時までの１時間の時間帯、時間表示部３４ｅは１２月１４日の午後１時から午後２時までの１時間の時間帯、時間表示部３４ｆは１２月１５日の午後１時から午後２時までの１時間の時間帯が表示されている。リモコンのカーソルボタンを操作することにより、画面８ａに表示されていない他の時間帯を上スクロールまたは下スクロールすることにより閲覧することができる。尚、時間軸３２は画面右側にも表示されている。
【００６０】
図３において、チャンネル表示部３３ａ〜３３ｈの内部にサムネイル表示部３６ａ〜３６ｈが配置されている。サムネイルとは、多数の画像を一覧表示するために縮小された画像のことである。画像は動画または静止画である。サムネイル表示部３６ａ〜３６ｈには、録画済番組表３０を画面に表示した直後は、画面８ａに表示された最上部の時間表示部３４ａにおける各チャンネルの番組のサムネイルが表示されている。
【００６１】
図３において、番組表示部３５の領域の部分は、図面の簡単化のため番組の分類名だけを記載しているが、チャンネル、時間別に録画番組名と簡単な番組紹介が記載されている。この記載内容はＥＰＧデータによる番組表の表示と同様である。番組が録画されるときには、ＥＰＧによる番組情報データも同時に記録され、録画済番組表示生成部２２が録画済番組表３０を生成する際に利用される。
【００６２】
本実施形態においては、番組表示部３５内の各録画番組を示す領域には、推薦表示を表示する領域３５ａが設けられている。図３の例では推薦表示は☆印にて示しており、☆の数が多い程人気ランキングが高いことを示している。図３の推薦表示は、推薦番組情報又は過去推薦番組情報に基づく人気ランキングを５段階に分け、人気が低い順に☆の数を０〜４個表示するようにしたものである。例えば、図３の例では、放送局名がＣｉｎｅＶの第５チャンネルで１２月１４日（土）の午後１時から午後２時に放送された映画の番組の人気ランキングが最も高いことを示している。
【００６３】
なお、制御部１１は、情報提供システム４０から新着情報の有無についての情報を取得するようにしてもよい。また、制御部１１は、推薦番組情報等について更新が発生したことを検出した場合には、画面上にバナー表示するようにしてもよい。
【００６４】
次に、このように構成された実施形態の動作について図４のフローチャートを参照して説明する。
【００６５】
いま、ユーザがステップＳ１において録画予約を行うものとする。録画予約の操作方法としては種々の方法があり、例えば、ＥＰＧに基づく番組表を利用する方法がある。ユーザは番組表を表示させるための操作を行う。表示制御部２３は、番組表表示のための画像生成処理を行う。これにより、表示処理部７は、番組表表示の映像信号を生成して表示装置８に出力する。表示装置８は、表示画面上に、番組表を表示させる。
【００６６】
制御部１１は、番組表表示を利用したＧＵＩ処理によって、ユーザの録画予約のための選択操作を受け付ける。即ち、ユーザが操作機器２０を使用して番組表表示上のコンテンツを指定する操作をすることによって、録画予約の対象となるコンテンツの指定が可能である。更に、ユーザは、録画予約の対象となるコンテンツを指定した後、当該コンテンツの録画設定のための録画予約操作を行う。こうして、録画予約操作が行われると、制御部１１は、録画予約操作に基づく録画予約情報を作成して（ステップＳ２）、フラッシュメモリ１５に記憶させる。
【００６７】
次に、本実施形態においては、制御部１１は、録画予約操作に基づく操作履歴情報を情報提供システム４０に送信する（ステップＳ３）。この操作履歴情報は、送受信部２１からインターネット２６上に送信され、情報提供システム４０の送受信部４２によって受信される。
【００６８】
情報提供システム４０の情報生成部４３は、操作履歴情報を集計して推薦番組情報及び過去推薦番組情報を生成する。上述したように、推薦番組情報は、現時点以降に放送される番組についての予約数に対応したものであり、人気ランキングを示すものである。また、過去推薦番組情報は、予約数や再生数等に基づいて生成され、前日までの確定した推薦番組情報である。制御部１１は、所定の時刻に、情報提供システム４０に推薦番組情報の送信要求を送信して、推薦番組情報や過去推薦番組情報を受信する（ステップＳ４）。制御部１１は、例えば、毎日の定時に推薦番組情報や過去推薦番組情報を受信し、受信した推薦番組情報や過去推薦番組情報を例えばフラッシュメモリ１５等に記憶させる。以後、説明の簡略化のために、推薦番組情報と過去推薦番組情報とを区別する必要がない場合には、過去推薦番組情報についても推薦番組情報として説明する。
【００６９】
制御部１１は、録画予約情報によって指定された録画開始時刻になると（ステップＳ５）、録画先として指定された装置を制御して、指定された録画チャンネルの番組の録画を開始する。この場合において、本実施形態においては、制御部１１は、受信した推薦番組情報から録画番組についての情報を抽出し、推薦表示のための情報を録画番組の録画番組管理情報として生成し、録画番組情報管理部２４に記録させる（ステップＳ６）。制御部１１は、録画番組を記録すると共に、録画番組の録画番組管理情報を録画番組に対応させて記録する（ステップＳ７）。
【００７０】
こうして、録画番組に付随して、情報提供システム４０によって作成された録画時点において受信されている推薦番組情報に基づく情報が記録される。なお、上記説明では、推薦番組情報を毎日の定時に受信するものとして説明したが、録画開始時にその時点で最新の推薦番組情報を都度受信するようにしてもよい。
【００７１】
ここで、ユーザが操作機器２０を操作して、録画済番組表を表示させるものとする（ステップＳ８）。制御部１１は、録画番組情報管理部２４に記録された各番組の録画番組管理情報を読み出す（ステップＳ９）。録画済番組表示生成部２２は、フラッシュメモリ１５に記憶された録画の際の指定チャンネルや指定時間等のデータと、録画番組情報管理部２４の録画管理データ、録画装置１６または外部記録装置１８に記録された番組情報等から録画番組表を生成する（ステップＳ１０）。この場合には、録画済番組表示生成部２２は、録画番組情報管理部２４から読み出した録画番組管理情報に基づいて推薦番組情報に対応した推薦表示を各番組に対応させて表示させる。こうして、例えば図３に示す録画済番組表が表示装置８の画面８ａ上に表示される（ステップＳ１１）。
【００７２】
ユーザは、録画済番組表表示の推薦表示を参照することで、情報提供システム４０からの推薦番組情報に基づくお勧め番組を容易に認識することができる。記録された膨大な量の録画番組のうち、視聴すべきお勧め番組を示す推薦表示が表示されるので、利便性に優れている。
【００７３】
なお、複数の番組の同時連続録画は、ユーザによる録画時間及びチャンネルの設定によって自動的に録画されるが、録画装置の記録容量は有限であるので、制御部１１は、録画から所定の時間が経過した録画番組については消去するようになっている。この場合において、本実施形態においては、制御部１１は、推薦番組情報に基づいて人気番組であると判定した番組については、録画番組の消去前にユーザに人気番組が消去されようとしていることを示す警告表示を表示させるようにしてもよく、また、人気番組については、自動的に消去されないようにすることも可能である。
【００７４】
また、推薦表示を選択することで、所望のランキング情報を取得するようにすることも可能である。
【００７５】
このように本実施形態においては、録画済番組表に情報提供システムからの推薦番組情報に基づく推薦表示を表示させることができる。ユーザは、この推薦表示を、膨大な量の録画済番組から再生する番組を選択する場合の参考にすることができる。
【００７６】
また、推薦表示の仕方としては、推薦番組情報に基づくラインキングの点数や、順位、ランキングを複数段階に分けた段階数、単にお勧めか否か等、種々の表示の仕方が考えられる。また、図４では推薦表示を☆印で表したが、王冠印、色別、順位やスコア等を表示するようにしてもよい。
【００７７】
また、推薦番組情報と過去推薦番組情報とを区別無く用いたが、より正確な情報を用いることを考慮した場合には、過去推薦番組情報を用いた方がよい。
【００７８】
なお、上記実施形態においては、受信した推薦番組情報から各番組の情報を抽出し、各番組に対応させて録画番組管理情報として記録する例を説明したが、受信した推薦番組情報を各番組とは別にデータベースとして記録し、録画済番組表示の表示時に、読み出したデータベースから各番組毎の情報を抽出して推薦表示を行うようにしてもよい。
【００７９】
（第２の実施形態）
図５は本発明の第２の実施形態において採用される動作フローを示すフローチャートである。図５において図４と同一の手順には同一符号を付して説明を省略する。本実施形態においても図１と同様のハードウェアによって構成可能であり、制御部１１の制御が第１の実施形態と異なるのみである。
【００８０】
第１実施形態においては、録画開始時点における推薦番組情報に基づいて録画番組管理情報を生成し、この録画番組管理情報を録画番組に対応させて記録し、録画済番組表表示時に、録画番組管理情報を読み出して推薦表示を行う例について説明した。これに対し、本実施形態は、番組録画時に推薦番組情報に基づく録画番組管理情報を記録することなく、録画済番組表の表示時に推薦番組情報に基づく推薦表示を行うようにしたものである。
【００８１】
即ち、本実施形態においては、ステップＳ２１において、推薦番組情報を受信する。制御部１１は、所定時刻、例えば毎日の定時に、情報提供システム４０に推薦番組情報の送信要求を送信して、推薦番組情報を受信する。制御部１１は受信した推薦番組情報を例えばフラッシュメモリ１５等に記憶させて推薦番組情報の受信毎に更新する。
【００８２】
ここで、ユーザが録画予約操作を行うものとする（ステップＳ１）。録画予約操作から録画開始までの動作は第１の実施形態と同様である。本実施形態においては、ステップＳ２２の録画処理では、録画予約された番組のみが録画され、推薦番組情報に基づく録画番組管理情報の生成及び記録は行われない。
【００８３】
ユーザ操作により録画済番組表の表示が指示されると、ステップＳ８から処理ステップＳ２３に移行して推薦番組情報の読み出しが行われる。制御部１１は推薦番組情報を読み出して、各番組の情報を抽出する（ステップＳ２４）。制御部１１の録画済番組表示生成部２２は録画済番組表の生成に際して、各番組の推薦番組情報に基づく推薦表示を付加する（ステップＳ１０）。
【００８４】
このように本実施形態においても、第１の実施形態と同様に、録画済番組表示上に、推薦表示を表示させることができるという効果を有する。
【００８５】
（第３の実施形態）
図６は本発明の第３の実施形態において採用される動作フローを示すフローチャートである。図６において図４と同一の手順には同一符号を付して説明を省略する。本実施形態においても図１と同様のハードウェアによって構成可能であり、制御部１１の制御が第１の実施形態と異なるのみである。
【００８６】
ユーザの録画予約操作に基づく推薦番組情報は、予約録画開始時間までの操作履歴情報に基づくものであり、予約録画開始時間以後、即ち、録画済番組表の表示時には情報内容であるランキングは固定されている。しかし、録画済番組表の表示時において、既に録画済の番組が再生されていることが考えられる。従って、再生操作に基づく推薦番組情報は予約録画開始時間以降において情報内容であるランキングが変化する。そこで、録画後において、更新された推薦番組情報に基づいて録画番組管理情報を更新することが考えられる。
【００８７】
即ち、本実施形態においてはステップＳ３１，Ｓ３２の処理を付加した点が第１の実施形態と異なる。ステップＳ３１においては、制御部１１は、所定の時刻、例えば毎日の定時に、情報提供システム４０に推薦番組情報の送信要求を発して、推薦番組情報を受信する。制御部１１は受信した推薦番組情報から録画されている番組毎の情報を抽出し、抽出した情報に基づいて録画番組管理情報を生成して、既に記録されている録画番組管理情報を更新する。
【００８８】
このように構成された実施の形態においては、番組に付随する録画番組管理情報は、最新の推薦番組情報に基づいて更新される。これにより、ユーザの予約操作だけでなく再生操作に基づく推薦番組情報による推薦表示が可能である。例えば、制御部１１は、録画予約の予約数に基づく推薦表示と録画番組の再生数に基づく推薦表示とを、別の表示形態で表示したり、合成して表示したりすることが可能である。
【００８９】
これにより本実施形態においては、利便性を一層向上させることができる。
【００９０】
なお、本実施形態は、第１の実施形態だけでなく第２の実施形態にも適用可能である。即ち、図５のステップＳ２２の録画処理の後に、推薦番組情報の受信処理及び更新処理を付加すればよい。これにより、第２の実施形態においても、予約操作及び再生操作に基づく推薦表示が可能である。
【００９１】
また、第２及び第３の実施形態においても、推薦番組情報と過去推薦番組情報とを区別無く用いたが、より正確な情報を用いることを考慮した場合には、過去推薦番組情報を用いた方がよい。例えば、最初の記録時には推薦番組情報を受信して記憶し、翌日以降には過去推薦番組情報を受信して、過去推薦番組情報によって推薦番組情報を更新するようにしてもよい。
【００９２】
（第４の実施形態）
図７は本発明の第４の実施形態において採用される録画済番組表の一例を示す説明図である。図７において図３と同一物には同一符号を付して説明を省略する。本実施形態においても図１と同様のハードウェアによって構成可能であり、録画済番組表示生成部２２による録画済番組表の生成方法が第１の実施形態と異なるのみである。
【００９３】
本実施の形態においては、録画済番組表示生成部２２は、図２に示すＥＰＧデータに基づく番組表と、録画済番組表とを同一画面上に表示するための表示データを生成する。例えば、録画済番組表示生成部２２は、番組表と録画済番組表とを含む現在及び過去番組表を生成する。
【００９４】
図７は現在及び過去番組表５０の一例を示す説明図である。現在及び過去番組表５０は、上側に録画済番組表３９を有し、下側に番組表３８を有する。
【００９５】
図７の番組表３８は、現在時刻である１２月１８日（水）の午後９時１３分以降の時間帯である１２月１８日（水）の午後９時から午後１１時までの時間帯の放送番組を示している。
【００９６】
一方、録画済番組表３９は、過去に放送されて録画された１２月１２日（木）の午前１０時から午後０時までの時間帯の録画番組を示している。
【００９７】
番組表３８内の各番組を指定することで、視聴予約や録画予約が可能である。一方、録画済番組表３９内の各番組を指定することで、録画された番組の再生等が可能である。
【００９８】
番組表３８及び録画済番組表３９のいずれにも、推薦表示の表示領域３９ａが設けられている。
【００９９】
このように本実施形態においては、推薦表示を番組表及び録画済番組表のいずれにも表示させることができる。
【０１００】
（第５の実施形態）
図８は本発明の第５の実施形態において採用される録画済番組表示の一例を示す説明図である。本実施形態はハードディスクレコーダに適用したものである。本実施形態においても表示装置８及びスピーカ９等を省略する点を除き、図１と同様のハードウェアによって構成可能である。本実施形態は録画済番組表示生成部２２による録画済番組表示の表示方法が第１の実施形態と異なるのみである。
【０１０１】
上記各実施形態においては、同時連続録画が可能なテレビジョン受信装置における録画済番組表の表示に際して、推薦表示を表示する例について説明したが、録画済番組表示を行う全ての装置について推薦表示を表示させることができる。
【０１０２】
図８はハードディスクレコーダ等のデジタル放送記録再生装置における録画済番組表示に適用した例を示している。デジタル放送記録再生装置においては、録画済番組表示をリスト表示形式にて表示する。このような録画済番組リスト表示においては、各録画済番組を帯状の表示領域６１にて表示する。
【０１０３】
図８の例では、画面の上方に録画済番組リスト表示であることを示すタイトル「録画リスト」が表示され、その下に録画リストを分類するためのタグ６３が表示されている。図８の例では、録画リストは、「全て」、「曜日別」、「ジャンル別」、「連ドラ別」に分類されることを示している。
【０１０４】
また、図８では斜線によって「ジャンル別表示」が選択されていることを示している。図８では、ジャンルとして、「スポーツ」、「ワイドショー」、「ドラマ」、「音楽」、「パラエティ」に分類されることを示している。図８では、斜線によって「ドラマ」が選択され、「ドラマ」として録画されている番組が各領域６１に表示されている。
【０１０５】
図８の例は、各領域６１には、各録画番組の番組タイトル及び録画日が表示される。また、各領域６１の左側には、領域６１中の斜線にて示す選択された番組の縮小画像を表示する領域６４及び詳細な情報を表示する領域６５が設けられている。詳細な情報を表示する領域６５には、放送局、録画日時、ダビングの可否等の情報が表示される。また、録画リスト表示の左下には、録画可能時間及び録画残量の情報も表示されている。
【０１０６】
本実施形態においては、帯状の各領域の左端に、推薦表示の対象の番組については、推薦表示領域６６が設けられる。図８の例では、タイトルが「番組タイトル２」、「番組タイトル３」及び「番組タイトル４」の番組に推薦表示領域６６が設けられている。図８の推薦表示は、☆印によって人気ランキングを示しており、数が多いほど人気ランキングの順位が高いことを示している。なお、推薦表示の表示の仕方は、第１の実施形態と同様に種々の方法を採用可能である。
【０１０７】
このように本実施の形態においては、推薦表示を録画済番組リスト表示上にも表示させることが可能である。
【０１０８】
（第６の実施形態）
図９は本発明の第６の実施形態において採用される録画済番組表示の一例を示す説明図である。本実施形態は同時連続録画機能を有するテレビジョン受信装置における録画済番組リスト表示の例を示している。本実施形態においても図１と同様のハードウェアによって構成可能であり、録画済番組表示生成部２２による録画済番組表示の表示方法が第１の実施形態と異なるのみである。
【０１０９】
図９の例では、おすすめサービスとして、「地デジランキング」、「ＢＳランキング」、「タイムシフトマシン注目番組」、「特集」及び「お知らせ」のタグ７１があることを示している。図９では斜線によって「タイムシフト注目番組」が選択されたことを示している。「タイムシフト注目番組」は、全ての録画済番組のうち、推薦番組情報に基づく推薦表示を表示する番組のみを集めてリスト表示したものである。
【０１１０】
図９の例は「タイムシフト注目番組」は、各ジャンルに分類されている。図９では「アニメ」、「映画」、「総合」、「ドラマ」及び「スポーツ」の各ジャンルのうち、斜線にて示す「総合」のジャンルが選択され、「総合」のジャンルに含まれる録画番組が示されている。
【０１１１】
図９の例においても、各番組を帯状の領域７３で表わし、各領域７３には、番組タイトル、放送局、録画日時を示している。そして、各領域７３の左端には、推薦表示の領域７４が設けられている。図９の推薦表示は、☆印によって人気ランキングを示しており、数が多いほど人気ランキングの順位が高いことを示している。なお、推薦表示の表示の仕方は、第１の実施形態と同様に種々の方法を採用可能である。
【０１１２】
このように本実施形態においては、推薦表示を録画済番組リスト表示上にも表示させることが可能である。
【０１１３】
上記各実施形態においては、録画済番組表示の表示上に推薦表示を行う例について説明したが、録画済番組の再生時に、再生している動画に重ねて推薦表示を知らせる表示を行うようにしてもよい。
【０１１４】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【０１１５】
１…テレビジョン受信装置、３ａ〜３ｆ…チューナ、５…映像処理部、７…表示処理部、１１…制御部、２１…送受信部、２２…録画済番組表示生成部、４０…情報提供システム、４３…情報生成部。
【図１】
2012029247.tif 000003
【図２】
2012029247.tif 000004
【図３】
2012029247.tif 000005
【図４】
2012029247.tif 000006
【図５】
2012029247.tif 000007
【図６】
2012029247.tif 000008
【図７】
2012029247.tif 000009
【図８】
2012029247.tif 000010
【図９】
2012029247.tif 000011
【手続補正書】
【提出日】平成23年5月11日(2011.5.11)
【手続補正１】
【補正対象書類名】明細書
【補正対象項目名】００１１
【補正方法】変更
【補正の内容】
【００１１】
本発明の実施形態に係るデジタル放送記録再生装置は、デジタル放送を受信する受信部と、前記受信部によって受信された番組を記録すると共に再生する記録再生部と、前記受信部によって受信された番組メタ情報を前記記録再生部が記録する番組について記録管理する番組メタ情報記録管理部と、推薦番組情報を提供する情報提供システムにアクセスして前記推薦番組情報を受信する情報受信部と、前記番組メタ情報記録管理部に記録された録画済番組の情報を表示する録画済番組表示を行う場合、または前記記録再生部による録画済の番組を再生する場合、の少なくともいずれかにおいて、前記推薦番組情報に基づく推薦表示を同時に表示させる録画済番組表示生成部と、を具備する。
【手続補正２】
【補正対象書類名】特許請求の範囲
【補正対象項目名】全文
【補正方法】変更
【補正の内容】
【特許請求の範囲】
【請求項１】
デジタル放送を受信する受信部と、
前記受信部によって受信された番組を記録すると共に再生する記録再生部と、
前記受信部によって受信された番組メタ情報を前記記録再生部が記録する番組について記録管理する番組メタ情報記録管理部と、
推薦番組情報を提供する情報提供システムにアクセスして前記推薦番組情報を受信する情報受信部と、
前記番組メタ情報記録管理部に記録された録画済番組の情報を表示する録画済番組表示を行う場合、または前記記録再生部による録画済の番組を再生する場合、の少なくともいずれかにおいて、前記推薦番組情報に基づく推薦表示を同時に表示させる録画済番組表示生成部と、
を具備したことを特徴とするデジタル放送記録再生装置。
【請求項２】
前記番組メタ情報記録管理部は、前記記録再生部による番組の録画時に前記推薦番組情報を録画する番組の情報と対応させて記録する
ことを特徴とする請求項１に記載のデジタル放送記録再生装置。
【請求項３】
前記情報受信部は、所定の時刻もしくは推薦番組情報を表示する操作を行うときの少なくともいずれかの場合に前記情報提供システムが生成した前記推薦番組情報を受信する
ことを特徴とする請求項１又は２に記載のデジタル放送記録再生装置。
【請求項４】
前記情報提供システムにアクセスして、前記記録部における録画予約、録画実行及び録画番組の再生のうちの少なくとも１つの動作を操作履歴情報として前記情報提供システムに送信する情報送信部
を具備したことを特徴とする請求項１乃至３に記載のデジタル放送記録再生装置。
【請求項５】
前記録画済番組表示生成部は、前記録画済番組表示を番組表形式で表示する
ことを特徴とする請求項１乃至４に記載のデジタル放送記録再生装置。
【請求項６】
前記録画済番組表示生成部は、前記録画済番組表示をリスト形式で表示する
ことを特徴とする請求項１乃至４に記載のデジタル放送記録再生装置。
【請求項７】
前記録画済番組表示生成部は、前記録画済番組表示と現在以降の番組を表示する番組表とを同時に表示する
ことを特徴とする請求項１乃至６に記載のデジタル放送記録再生装置。
【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
デジタル放送を受信する受信部と、
推薦番組情報を提供する情報提供システムにアクセスして前記推薦番組情報を受信する情報受信部と、
前記受信部によって受信された番組を前記推薦番組情報に基づくことなく記録すると共に再生する記録再生部と、
前記受信部によって受信された番組メタ情報を前記記録再生部が記録する番組について記録管理する番組メタ情報記録管理部と、
前記番組メタ情報記録管理部に記録された録画済番組の情報を表示する場合、または前記記録再生部による録画済の番組を再生する場合、の少なくともいずれかにおいて、前記推薦番組情報に基づく推薦表示を同時に表示する録画済番組表示を表示させる録画済番組表示生成部と、
前記情報提供システムにアクセスして、前記記録部における録画予約、録画実行及び録画番組の再生のうちの少なくとも１つの動作を操作履歴情報として前記情報提供システムに送信する情報送信部と、
を具備し、
前記番組メタ情報記録管理部は、前記記録再生部による番組の録画時に前記推薦番組情報を録画する番組の情報と対応させて記録し、
前記情報受信部は、所定の時刻もしくは推薦番組情報を表示する操作を行うときの少なくともいずれかの場合に前記情報提供システムが生成した前記推薦番組情報を受信し、
前記録画済番組表示生成部は、前記録画済番組表示と現在以降の番組を表示する番組表とを同時に番組表形式で表示すると共に、前記推薦番組情報に基づいて番組の推薦の順位を示す前記推薦表示を表示する
デジタル放送記録再生装置。
【手続補正２】
【補正対象書類名】明細書
【補正対象項目名】００１１
【補正方法】変更
【補正の内容】
【００１１】
本発明の実施形態に係るデジタル放送記録再生装置は、デジタル放送を受信する受信部と、推薦番組情報を提供する情報提供システムにアクセスして前記推薦番組情報を受信する情報受信部と、前記受信部によって受信された番組を前記推薦番組情報に基づくことなく記録すると共に再生する記録再生部と、前記受信部によって受信された番組メタ情報を前記記録再生部が記録する番組について記録管理する番組メタ情報記録管理部と、前記番組メタ情報記録管理部に記録された録画済番組の情報を表示する場合、または前記記録再生部による録画済の番組を再生する場合、の少なくともいずれかにおいて、前記推薦番組情報と前記番組メタ情報とに基づいて、前記推薦番組情報に基づく推薦表示を同時に表示する録画済番組表示を表示させる録画済番組表示生成部と、前記情報提供システムにアクセスして、前記記録部における録画予約、録画実行及び録画番組の再生のうちの少なくとも１つの動作を操作履歴情報として前記情報提供システムに送信する情報送信部と、を具備し、前記番組メタ情報記録管理部は、前記記録再生部による番組の録画時に前記推薦番組情報を録画する番組の情報と対応させて記録し、前記情報受信部は、所定の時刻もしくは推薦番組情報を表示する操作を行うときの少なくともいずれかの場合に前記情報提供システムが生成した前記推薦番組情報を受信し、前記録画済番組表示生成部は、前記録画済番組表示と現在以降の番組を表示する番組表とを同時に番組表形式で表示すると共に、前記推薦番組情報に基づいて番組の推薦の順位を示す前記推薦表示を表示するものである。